(57)【要約】【課題】  再生装置で見た付加情報提供方法を提供する。【解決手段】  上記課題は、所定のコンテンツに関するコンテンツ識別子を提供する段階と、提供されたコンテンツ識別子をネットワーク接続部を通じてクッキー(Cookie)ファイルの形態で付加情報サービスサーバーシステムに伝送する段階と、前記付加情報サービスサーバーシステムからの付加情報を前記ネットワーク接続部を通じて受信する段階とを含む付加情報提供方法によって解決される。【選択図】  図１
2004303260.tif 000002
【特許請求の範囲】
【請求項１】
（ａ）所定のコンテンツに関するコンテンツ識別子を提供する段階と、
（ｂ）提供されたコンテンツ識別子をネットワーク接続部を通じてクッキー(Cookie)ファイルの形態で付加情報サービスサーバーシステムに伝送する段階と、
（ｃ）前記付加情報サービスサーバーシステムからの付加情報を前記ネットワーク接続部を通じて受信する段階と、を含むことを特徴とする付加情報提供方法。
【請求項２】
前記（ａ）段階は、
前記コンテンツが貯蔵された貯蔵媒体から前記コンテンツ識別子を読出す段階であることを特徴とする請求項１に記載の付加情報提供方法。
【請求項３】
前記（ａ）段階は、
前記コンテンツが貯蔵された貯蔵媒体から前記コンテンツ識別子として前記コンテンツのＩＳＲＣコードを読出す段階であることを特徴とする請求項１に記載の付加情報提供方法。
【発明の詳細な説明】
【技術分野】
【０００１】
本発明は再生装置及び付加情報サービスサーバーシステムに係り、特に貯蔵媒体からコンテンツを読出して再生する再生装置、及びネットワークを通じて前記再生装置と連結可能な付加情報サービスサーバーシステムに関する。
【背景技術】
【０００２】
オーディオ、ビデオなど多様なコンテンツが記録されるＣＤ、ＤＶＤのようなデジタル貯蔵媒体が広く使われている。特に、ＣＤ−ＲＯＭ、ＤＶＤ−Ａｕｄｉｏ、ＤＶＤ−Ｖｉｄｅｏにはオーディオコンテンツまたはビデオコンテンツが記録されて販売されている。
【０００３】
オーディオコンテンツやビデオコンテンツに関連した付加情報は多様である。例えば、ミュージックビデオの場合、歌詞の内容、歌手の個人情報、最近の活動内容、類似したジャンルの他のヒット曲など数多くの付加情報が存在する。しかし、このような付加情報が知りたい使用者は他の媒体を通じて接近しなければならない。
【発明の開示】
【発明が解決しようとする課題】
【０００４】
したがって、本発明の目的は、ＣＤ−ＲＯＭ、ＤＶＤ−Ａｕｄｉｏ、ＤＶＤ−Ｖｉｄｅｏなどの貯蔵媒体に記録されたコンテンツに関する付加情報をネットワークを通じて提供したり、提供されうる付加情報サービスサーバーシステム及び再生装置を提供することである。
【０００５】
本発明の他の目的は、ＣＤ−ＲＯＭ、ＤＶＤ−Ａｕｄｉｏ、ＤＶＤ−Ｖｉｄｅｏなどの貯蔵媒体に記録されたコンテンツに関する最新の付加情報をネットワークを通じて提供するか、提供されうる付加情報サービスサーバーシステム及び再生装置を提供することである。
【課題を解決するための手段】
【０００６】
前記目的は、本発明によってコンテンツを再生する再生装置において、前記コンテンツの識別子を生成する識別子生成部と、ネットワーク接続部と、前記識別子生成部により生成された識別子を前記ネットワーク接続部を通じて付加情報サービスサーバーシステムに伝送し、前記付加情報サービスサーバーシステムから提供された付加情報を前記ネットワーク接続部を通じて受信する制御部とを含むことを特徴とする再生装置によって達成される。
【０００７】
前記再生装置は前記コンテンツが貯蔵された貯蔵媒体からデータを読出す読出部をさらに含み、前記識別子生成部は前記読出部により前記貯蔵媒体から読出されたＩＳＲＣコードを受信して前記識別子として前記制御部に提供することが望ましい。
【０００８】
前記制御部にはブラウザーが設けられており、前記ブラウザーは前記識別子を前記付加情報サービスサーバーシステムに設けられたサーバーに伝送し、前記サーバーから提供された付加情報を受信してディスプレーする。
【０００９】
前記再生装置は前記貯蔵媒体から前記コンテンツを読出す読出部と、前記読出部により読出されたコンテンツを再生する再生部をさらに含む。
【００１０】
前記再生部は読出されたコンテンツをデコーディングするデコーダをさらに含み、前記デコーダから出力されたオーディオデータを受信してサウンドを送出するスピーカーと、前記デコーダから出力されたビデオデータを受信して映像をディスプレーするディスプレー装置とをさらに含むことが望ましい。
【００１１】
一方、本発明の他の分野によれば、前記目的は複数のコンテンツに関する付加情報が貯蔵された付加情報データベースと、コンテンツを再生する再生装置から所定のコンテンツに関する識別子を受信し、前記付加情報データベースから前記識別子に対応する付加情報を提供されて前記再生装置に伝送するサーバーを含む付加情報サービスサーバーシステムによっても達成される。
【００１２】
前記コンテンツが貯蔵された貯蔵媒体にはＩＳＲＣコードが貯蔵されており、前記サーバーは前記識別子として前記ＩＳＲＣコードを受信し、前記付加情報データベースから前記ＩＳＲＣコードにマッピングされた付加情報を提供されて前記再生装置に伝送することが望ましい。
【００１３】
前記再生装置は前記コンテンツの識別子を生成する識別子生成部と、ネットワーク接続部と、前記識別子生成部により生成された識別子を前記ネットワーク接続部を通じて付加情報サービスサーバーシステムに伝送し、前記付加情報サービスサーバーシステムから提供された付加情報を前記ネットワーク接続部を通じて受信する制御部を含むことが望ましく、前記コンテンツが貯蔵された貯蔵媒体からデータを読出す読出部をさらに含み、前記識別子生成部は前記読出部により前記貯蔵媒体から読出されたＩＳＲＣコードを受信して前記識別子として前記制御部に提供することがさらに望ましい。
【発明の効果】
【００１４】
本発明によれば、ネットワークを通じて各々コンテンツに関する付加情報を提供したり、提供されうる付加情報サービスサーバーシステム及び再生装置が提供される。これにより、使用者は特定コンテンツに関する最新の付加情報を提供されうる。
【発明を実施するための最良の形態】
【００１５】
以下、添付した図面に基づいて本発明の望ましい実施形態を詳しく説明する。図１は本発明の望ましい実施形態に係る再生装置及び付加情報サービスサーバーシステムの概要図である。
【００１６】
本実施形態に係る貯蔵媒体の光ディスク１には少なくとも１つのコンテンツ＃１、＃２、‥、＃Ｎが記録されており、これらコンテンツのそれぞれに対して与えられたＩＳＲＣ（International Standard Recording Code）コードが記録されている。ＩＳＲＣコードは音楽、歌、ミュージックビデオなどを識別するために使われる国際規格コードであって、ＲＩＡＡ（Recording Industry Association of America）により与えられる。ＩＳＲＣコードは国家コード（Country Code）、著作権者コード（Copyright Holder Code）、記録年度（Year of recording)、及び一連番号(Recording number)を含む。
【００１７】
再生装置１０は識別子生成部１１、制御部１２、ネットワーク接続部１３、読出部１５、及び再生部１６を具備する。
【００１８】
識別子生成部１１は貯蔵媒体１に記録されたコンテンツに関する識別子を生成する。本実施形態によって生成される識別子はＩＳＲＣコードである。ＩＳＲＣコードは読出部１５により光ディスク１から読出されて識別子生成部１１に提供される。ネットワーク接続部１３はインターネットなどに接続するための接続インターフェースであって、所定の情報をネットワークに／から送／受信する。制御部１２には付加情報サービスサーバーシステム１００に貯蔵された情報を探索するためのブラウザー１４が設けられている。ブラウザー１４はオンライン上でファイルを読出すための使用者インターフェースを示す。本実施形態によるブラウザー１４はウェブブラウザであって、後述する付加情報サービスサーバーシステム１００に設けられたサーバー１０２と情報とをやりとりする。ウェブブラウザはウェブに資料を要請するためにＨＴＴＰ（Hyper text Transfer Protocol）、ＦＴＰ（File Transfer Protocol）などインターネットプロトコルを使用するクライアントプログラムである。
【００１９】
読出部は光ディスク１からコンテンツを読出し、再生部１６は読出部１５により読出されたコンテンツを再生する。このために、再生部１６は読出されたコンテンツをデコーディングするデコーダ（図示せず）、及びデコーダから出力されたオーディオデータを受信してサウンドを送出するスピーカー（図示せず）、及びデコーダから出力されたビデオデータを受信して映像をディスプレーするディスプレー装置をさらに含められる。ただし、必要に応じてスピーカー及び／またはディスプレー装置は再生部１６に含まれず、再生装置１０と別に具現されうる。
【００２０】
付加情報サービスサーバーシステム１００は付加情報データベース１０１及びサーバー１０２を具備する。付加情報データベース１０１は光ディスク１に記録されたコンテンツだけでなく多様なコンテンツに関する付加情報がＩＳＲＣコードに対応して貯蔵されている。付加情報に関する詳細な説明は後述する。
【００２１】
サーバー１０２は再生装置１０から所定のコンテンツに関する識別子を受信し、付加情報データベース１０１から識別子に対応する付加情報を抽出して再生装置１０に伝送する。サーバー１０２はクライアント／サーバーモデルにおいてクライアントプログラム（本実施形態ではブラウザー１４）からの要求に応答するためのプログラムであって、本実施形態に係るウェブに限定すればブラウザー１４から要請されたウェブページやファイルを提供するサーバープログラムである。
【００２２】
サーバー１０２とブラウザー１４はクッキーファイルを通じて相互情報を交換する。クッキーファイルはクライアントに貯蔵されるテキストファイルである。本実施形態においてクッキーファイルはブラウザー１４により備えられて貯蔵される。ブラウザー１４は制御部１２に備えられたメモリ（図示せず）にＩＳＲＣコードの含まれたクッキーファイルを貯蔵する。クッキーファイルは概してブラウザー１４が使用するディレクトリの下部に貯蔵される。具体的に、ブラウザー１４は識別子生成部１１により生成された識別子、すなわちＩＳＲＣコードを受信してクッキーファイルに貯蔵する。サーバー１０２はクッキーファイルを読取ってＩＳＲＣコードを解読した後、付加情報データベース１０１からＩＳＲＣコードに対応する付加情報を抽出して再生装置１０に伝送する。
【００２３】
図２は本発明の望ましい実施形態に係る付加情報データベース１０１に貯蔵されたデータ構造図である。図２を参照すれば、付加情報データベース１０１には複数のＩＳＲＣコードとこれに対応する付加情報とが貯蔵されている。付加情報データベース１０１はデータを多様な方法で接近し、再構成可能に定義したテーブル型の関係型データベース（relational database）として具現しうる。さらに、ネットワーク上の別の地点に分散または重複されている分散型データベースや客体クラスとサブクラスとして定義されたデータが相互一致する客体指向型データベースで構成されうる。
【００２４】
図３を参照すれば、付加情報は所定のＩＳＲＣコードに対応するように備えられ、複数の付加コンテンツファイル及び／またはリンク情報として少なくとも１つのＵＲＬを含む。ＵＲＬ（Uniform Resource Locator）はインターネットにおいて接近可能な資源（resource）の位置を示す。ＵＲＬは資源への接近に必要なプロトコルの名称、インターネットにおいて特定のコンピュータを識別するためのドメインネーム、ファイルの位置を階層的に示す経路名などで構成される。
【００２５】
前記構成によって本発明に係る付加情報表示過程及び付加情報提供方法を説明すれば次の通りである。
【００２６】
図４は再生装置１０が付加情報を表示する過程を説明するためのフローチャートである。
【００２７】
図４を参照すれば、再生装置１０に光ディスク１０が挿入されると読出部１５は光ディスク１０からＩＳＲＣコードを読出して識別子生成部１１に伝達する（４０１段階）。
【００２８】
識別子生成部１１はＩＳＲＣコードを制御部１２に伝達し、制御部１２に設けられたブラウザー１４は受信されたＩＳＲＣコードをクッキーファイルに貯蔵する（４０２段階）。
【００２９】
一方、制御部１２に使用者入力が受信されると、読出部１５は対応コンテンツを読出し、再生部１６は読出されたコンテンツを再生する（４０３段階）。コンテンツの再生中に制御部１２に付加情報を要請する使用者入力が受信されると（４０４段階）、制御部１２に設けられたブラウザー１４が呼び出されてネットワーク接続部１３を通じて付加情報サービスサーバーシステム１００に接続する（４０５段階）。
【００３０】
次いで、ブラウザー１４はクッキーファイルに貯蔵されていたＩＳＲＣコードを付加情報サービスサーバーシステム１００のサーバー１０２に提供する（４０６段階）。引き続き、ブラウザー１４はサーバー１０２から提供された付加情報を受信し（４０７段階）、受信された付加情報を表示する（４０８段階）。
【００３１】
一方、前記４０３段階は略せる。すなわち、使用者はコンテンツの再生中でなくても、特定のコンテンツに関する付加情報を要求しうる。この場合、使用者が付加情報を要求すれば制御部１２（またはブラウザー１４）は光ディスク１に記録された全てのコンテンツに関するメニュー画面を表示する。使用者が特定のコンテンツを選択すればブラウザー１４は選択されたコンテンツに関するＩＳＲＣコードをサーバー１０２に提供する方式により付加情報が提供される。
【００３２】
図５は付加情報サービスサーバーシステム１００が付加情報を提供する過程を説明するためのフローチャートである。
【００３３】
図５を参照すれば、ネットワークを通じて付加情報サービスサーバーシステム１００のサーバー１０２と再生装置１０が連結され（５０１段階）、サーバー１０２は再生装置１０に搭載されたブラウザー１４にＩＳＲＣコードを要請して受信する（５０２段階）。サーバー１０２は受信されたＩＳＲＣコードに基づいて付加情報データベース１０１から対応付加情報を抽出し（５０３段階）、抽出された付加情報をブラウザー１４に送信する（５０４段階）。
【００３４】
一方、前述した実施形態において識別子生成部１１は読出部１５により光ディスク１から読出されたＩＳＲＣコードを提供されたが、光ディスク１に記録されたコンテンツのヘッダ情報を提供され、これに基づいて所定の識別子を生成するように具現しうる。また、付加情報サービスサーバーシステム１００の付加情報データベース１０１には前記新たな識別子に対応して付加情報が貯蔵されるように具現しうる。
【図面の簡単な説明】
【００３５】
【図１】本発明の望ましい実施形態に係る再生装置及び付加情報サービスサーバーシステムの概要図である。
【図２】本発明の望ましい実施形態に係る付加情報データベースに貯蔵されたデータ構造図である。
【図３】本発明の望ましい実施形態に係る付加情報データベースに貯蔵されたデータ構造図である。
【図４】再生装置が付加情報を表示する過程を説明するためのフローチャートである。
【図５】付加情報サービスサーバーシステム１００が付加情報を提供する過程を説明するためのフローチャートである。
【符号の説明】
【００３６】
１ 光ディスク
１０ 再生装置
１１ 識別子生成部
１２ 制御部
１３ ネットワーク接続部
１４ ブラウザー
１５ 読出部
１６ 再生部
１００ 付加情報サービスサーバーシステム
１０１ 付加情報データベース
１０２ サーバー
【図１】
2004303260.tif 000003
【図２】
2004303260.tif 000004
【図３】
2004303260.tif 000005
【図４】
2004303260.tif 000006
【図５】
2004303260.tif 000007